(57)【要約】【課題】土石流独特の臭気を利用しつつ、土石流の発生状況を三次元的な立体映像で見せ、更にその立体映像に合わせた立体音響や振動・衝撃を体験者に体感させて、土石流をリアルに体験させ得る土石流簡易体験装置を提供する。【解決手段】体験室Ｒの椅子Ｓ１〜Ｓ３の正面側に配した映像面１と、該椅子Ｓに座り偏光メガネＧを付けた体験者に対し土石流の発生前後に亘る立体映像を見せるべく映像面１に画像を表示させる映像機器Ｖと、立体映像に合わせた立体音響を椅子上の体験者に聴かせる立体音響装置ＳＴと、立体映像に合わせた振動・衝撃を椅子上の体験者に体感させるように該椅子を駆動し得る椅子駆動装置ＢＳと、立体映像における土石流発生後の所定時期に土石流の匂いを模した所定の臭気を体験室Ｒ内に発生、拡散させる臭気発生装置ＳＭと、体験室Ｒ内を強制換気するための換気装置ＶＥとを備える。【選択図】    図１
2004309982.tif 000002
【特許請求の範囲】
【請求項１】
人が出入り可能な体験室（Ｒ）を内部に形成し車両により運搬可能なハウジング（Ｈ）と、その体験室（Ｒ）の床面に設置された椅子（Ｓ１〜Ｓ３）と、その椅子（Ｓ１〜Ｓ３）の正面側に配設された映像面（１）と、前記椅子（Ｓ１〜Ｓ３）に座り偏光メガネ（Ｇ）を装着した体験者に対し少なくとも土石流の発生前後に亘る立体映像を見せるべく前記映像面（１）に画像を表示させる映像機器（Ｖ）と、前記立体映像に合わせた立体音響を前記椅子（Ｓ１〜Ｓ３）上の体験者に聴かせるための立体音響装置（ＳＴ）と、前記立体映像に合わせた振動・衝撃を前記椅子（Ｓ１〜Ｓ３）上の体験者に体感させるように該椅子（Ｓ１〜Ｓ３）を駆動し得る椅子駆動装置（ＢＳ）と、前記立体映像における土石流発生後の所定時期に土石流の匂いを模した所定の臭気を体験室（Ｒ）内に発生、拡散させる臭気発生装置（ＳＭ）と、体験室（Ｒ）内を強制換気するための換気装置（ＶＥ）とを備えたことを特徴とする、土石流簡易体験装置。
【請求項２】
前記所定の臭気は、腐葉土の匂いをベースとし、これに煙の臭い又は燻した臭いと、腐敗臭又は発酵臭とを付加した匂いであることを特徴とする、請求項１に記載の土石流簡易体験装置。
【請求項３】
前記臭気発生装置（ＳＭ）は、前記所定の臭気と、該所定の臭気を消臭するための消臭剤とを体験室（Ｒ）に選択的に噴出し得るように構成されていることを特徴とする、請求項１又は２に記載の土石流簡易体験装置。
【発明の詳細な説明】
【０００１】
【発明の属する技術分野】
本発明は、土石流を体感させてその恐さを未経験者に模擬体験させるための土石流簡易体験装置に関する。
【０００２】
【従来の技術】
土石流を体感させその恐怖を未経験者に模擬体験させておくことができれば、貴重な体験となり、実際の土石流発生の際に避難を早くしたり或いはその被害を少なくしたりする上で非常に有益であるが、従来では、一般の人に土石流を模擬体験させるための簡易の土石流体験装置は存在しなかった。尚、降雨量に応じた様々な降雨状況や降雨強さを模擬体験可能とした簡易の降雨体験装置は、下記特許文献１により従来公知である。
【０００３】
【特許文献１】
特許第２８８４５１０号公報
【０００４】
【発明が解決しようとする課題】
ところで土石流の恐怖、すさまじさは、土石流発生の状況を単に平面的な映像と音で表現するだけでは中々、伝えることができない。
【０００５】
また土石流を実際に体験したり土石流発生直後の災害現場に行ったことある複数の体験者の話によれば、土石流の発生直後に独特の臭気が現場近くに漂うことが判明したが、これは、土石流の発生の際に樹木と樹木、樹木と岩石や土砂、或いは岩石と岩石等が強くこすれ合ったときの摩擦熱等に起因して発生するらしく、この土石流独特の臭気が腐葉土の匂いをベースとし、これに煙の臭い又は燻した臭いと、腐敗臭又は発酵臭とを付加した匂いであることを本発明者が突きとめた。そして、このような土石流独特の臭気を利用すれば、土石流を体験者によりリアルに体感させることができるであろう。
【０００６】
本発明は、斯かる事情に鑑みてなされたものであって、上記の土石流独特の臭気を利用しつつ、土石流発生の状況を三次元的な立体映像で見せ、更にその立体映像に合わせた立体音響や振動・衝撃を体験者に体感させるようにして、土石流をリアルに体験させることができる土石流簡易体験装置を提供することを目的とする。
【０００７】
【課題を解決するための手段】
上記目的を達成するために請求項１の発明は、人が出入り可能な体験室を内部に形成し車両により運搬可能なハウジングと、その体験室の床面に設置された椅子と、その椅子の正面側に配設された映像面と、前記椅子に座り偏光メガネを装着した体験者に対し少なくとも土石流の発生前後に亘る立体映像を見せるべく前記映像面に画像を表示させる映像機器と、前記立体映像に合わせた立体音響を前記椅子上の体験者に聴かせるための立体音響装置と、前記立体映像に合わせた振動・衝撃を前記椅子上の体験者が体感し得るように該椅子を駆動し得る椅子駆動装置と、前記立体映像における土石流発生後の所定時期に所定の臭気を体験室内に発生、拡散させる臭気発生装置と、体験室内を強制換気するための換気装置とを備えたことを特徴とする。
【０００８】
上記請求項１の特徴によれば、体験室の椅子に座り偏光メガネを付けた体験者に対し、土石流の発生前後に亘る三次元的な立体映像を見せることができ、この立体映像における土石流発生後の所定時期に臭気発生装置から、土石流の匂いを模した所定の臭気を体験室内に発生、拡散させることができて、体験者に土石流の匂いをタイミングよく嗅がせることができ、更にその体験者に土石流の立体映像に合わせた立体音響をタイミングよく聴かせると共に、土石流の立体映像に合わせた振動・衝撃を椅子を通して直接、体感させることができるため、視覚、聴覚、臭覚、振動等の体感を全て活用して、土石流をリアルに体験させることができ、実際の土石流発生の際に避難を早くしたり或いはその被害を少なくしたりする上で非常に有益である。更に上記映像が、土石流の発生直後の現場から他の映像に切り替わるのに応じて、臭気発生装置からの前記所定の臭気の発生、拡散を停止させ且つ換気装置を作動開始させるようにすれば、体験室内に残留する上記所定の臭気を速やかに除去することができ、これにより、次回の模擬体験の開始時期を早めて、一回当たりの体験所要時間の短縮を図ることができる。また上記ハウジング内に椅子、映像面、映像機器、立体音響装置、椅子駆動装置、臭気発生装置及び換気装置を一纏めにユニット化でき、その全体を車両で運搬できるため、取り扱いが簡便であるばかりか、本装置を各地に容易に移動でき、多くの人に土石流を簡易に体験させることができる。
【０００９】
また請求項２は、前記請求項１の発明の特徴に加えて、前記所定の臭気は、腐葉土の匂いをベースとし、これに煙の臭い又は燻した臭いと、腐敗臭又は発酵臭とを付加した匂いであることを特徴とし、この特徴によれば、実際の土石流の匂いに極力似せた臭気を体験者に嗅がせることができる。
【００１０】
また請求項３の発明は、前記請求項１又は２の発明の特徴に加えて、前記臭気発生装置は、前記所定の臭気と、該所定の臭気を消臭するための消臭剤とを体験室に選択的に噴出し得るように構成されていることを特徴とし、この特徴によれば、上記立体映像が、土石流の発生直後の現場から他の映像に切り替わるのに応じて、臭気発生装置からは、前記所定の臭気の発生、拡散を停止させ、それに代えて消臭剤を体験室に噴出させることができるから、この消臭剤が上記所定の臭気を迅速に消臭し得る効果と、換気装置による強制換気効果とが相俟って、体験室内に残留する上記所定の臭気を一層速やかに除去することができる。
【００１１】
【発明の実施の形態】
本発明の実施の形態を、添付図面に例示した本発明の実施例に基づいて以下に具体的に説明する。
【００１２】
添付図面において、図１は、本発明の実施例に係る土石流簡易体験装置の全体縦断面図、図２は、前記土石流簡易体験装置の全体平面図（図１の２−２矢視断面図）、図３は、図１の３−３矢視断面図である。
【００１３】
図１〜図３において、土石流簡易体験装置Ａは、図示しないトラック等の自走車両の平坦な荷台上に随時に搭載できるよう箱状に形成されたハウジングＨを有している。このハウジングＨ内には、人が出入り可能な体験室Ｒと、その体験室Ｒの後側に隔壁Ｗを挟んで隣接する機械室Ｍとが画成され、体験室Ｒへは、ハウジングＨの一側面に設けた開閉扉Ｔを開けて体験者が出入りできるようになっている。ハウジングＨの一側面下部には、開閉扉Ｔに対応してステップＨｓが一体に連設される。また前記機械室Ｍへは、ハウジングＨの後壁に設けた開閉扉Ｔ′を開けて管理者が出入りできるようになっている。尚、体験室Ｒ及び機械室Ｍには各々エアコンＡＣが設けられる。
【００１４】
またハウジングＨ内には、体験室Ｒの床面に設置された複数の椅子Ｓ１〜Ｓ３と、その体験室Ｒの前面（図示例では上半部）、即ち椅子Ｓ１〜Ｓ３の正面側に設置固定された映像面としてのスクリーン１と、椅子Ｓ１〜Ｓ３に座る体験者に対し少なくとも土石流の発生前後に亘る立体映像を見せるべく映像面１に画像を表示させる映像機器Ｖと、前記立体映像に合わせた立体音響を椅子Ｓ１〜Ｓ３上の体験者に聴かせるための立体音響装置ＳＴと、前記立体映像に合わせた振動・衝撃を椅子Ｓ１〜Ｓ３上の体験者に体感させるように該椅子Ｓ１〜Ｓ３を駆動し得る椅子駆動装置ＢＳと、前記立体映像における土石流発生後の所定時期に土石流の匂いを模した所定の臭気を体験室Ｒ内に発生、拡散させる臭気発生装置ＳＭと、体験室Ｒ内を強制換気するための換気装置ＶＥと、以上の各機器Ｖ，ＳＴ，ＢＳ，ＳＭ，ＶＥを集中的に制御すべく前記機械室Ｍに配備される制御装置Ｃとが配備されており、それらとハウジングＨとで本発明の土石流簡易体験装置Ａが構成される。
【００１５】
各椅子Ｓ１〜Ｓ３は、各々複数人掛け（図示例では３人掛け）であって、体験室Ｒの床面に前後に複数列設置されており、スクリーン１に最も近い第１椅子Ｓ１が最も低位であり、その後ろの第２椅子Ｓ２、更にその後ろの第３椅子Ｓ３が順次に高くなるように配設される。
【００１６】
各椅子Ｓ１〜Ｓ３と体験室Ｒの床面との間には、土石流を映し出す前記立体映像に合わせた振動・衝撃を椅子Ｓ１〜Ｓ３上の体験者に体感させるように該椅子Ｓ１〜Ｓ３を駆動し得る椅子駆動装置としてのボディソニック装置ＢＳが配設される。このボディソニック装置ＢＳは、各椅子Ｓ１〜Ｓ３の底部に連動連結されて各椅子Ｓ１〜Ｓ３を加振し得る図示しないアクチュエータ（一般にボディソニックスピーカと呼ばれる）を有しており、このアクチュエータに制御装置Ｃから前記立体映像に合わせた駆動信号を出力することで、該アクチュエータが椅子Ｓ１〜Ｓ３に前記立体映像に合わせた振動・衝撃を付与し得るようになっている。尚、このようなボディソニック装置の構造自体は、従来周知である。
【００１７】
前記映像機器Ｖは、椅子Ｓ１〜Ｓ３に座り偏光メガネＧを装着した体験者に対し少なくとも土石流の発生前後に亘る立体映像を見せるべく映像面１に画像を表示させるためのものであって、機械室Ｍに配設される。この映像機器Ｖとして、本実施例ではレーザーディスクプレーヤ（図示せず）と、それが出力する信号を映像化して、隔壁Ｗの開口を通してスクリーン１に映写する３Ｄプロジェクタ等の映写機２とを備え、これら映像機器Ｖの作動は、前記制御装置Ｃによりコントロールされる。
【００１８】
前記立体音響装置ＳＴは、前記立体映像に合わせた立体音響を椅子Ｓ１〜Ｓ３上の体験者に聴かせるためのものであって、体験室Ｒの前壁と左右の両側壁に設置されるスピーカ３と、これらスピーカ３に駆動信号を出力すべく機械室Ｍに配設される４チャンネルアンプ４とを備える。そのアンプ４の作動も、前記制御装置Ｃによりコントロールされる。
【００１９】
前記臭気発生装置ＳＭは、前記立体映像における土石流発生後の所定時期に土石流の匂いを模した所定の臭気を体験室Ｒ内に発生、拡散させるためのものであるが、図示例では、前記所定の臭気と、該所定の臭気を消臭するための消臭剤とを体験室Ｒに選択的に噴出し得るように構成される。
【００２０】
臭気発生装置ＳＭは、従来公知の業務用消臭器と同様の構造のものを２個使用し、その１つは、前記所定の臭気の元となる原液を体験室Ｒに微細な霧状に噴霧し、該臭気の微粒子を体験室Ｒ内に積極的に拡散させる機能を持つものであり、またもう１つは、前記消臭剤を同じく体験室Ｒに微細な霧状に噴霧し、その消臭剤の微粒子を体験室Ｒ内に積極的に拡散させる機能を持つものである。前記臭気発生装置ＳＭは、体験室Ｒの前壁の、スクリーン１直下に配設した収納ボックス５内に収納されており、このボックス５の正面には、該ボックス５内と体験室Ｒ内とを連通させるルーバ付き開口５ａが設けられる。
【００２１】
ところで土石流を実際に体験したり土石流発生直後の災害現場に行ったことある複数の体験者の体験談によれば、土石流の発生直後の一時期に特有の臭気が現場近くに漂うことが判明しており、この臭気は、土石流の発生の際に樹木と樹木、樹木と岩石や土砂、或いは岩石と岩石等が強くこすれ合ったときの摩擦熱等に起因して発生するらしく、この土石流独特の臭気が腐葉土の匂いをベースとし、これに煙の臭い又は燻した臭いと、腐敗臭又は発酵臭とを付加した匂いであることが突きとめられた。従って、本実施例においても、土石流の匂いを模した前記所定の臭気を得るために、腐葉土の匂いをベースとし、これに煙の臭い又は燻した臭いと、腐敗臭又は発酵臭とを付加した匂いを発するような原液を予め調合、用意しておき、この原液を微細な霧状にして前記臭気発生装置ＳＭで体験室Ｒに噴霧、拡散できるようにするものである。尚、前記臭気発生装置ＳＭの作動も、前記立体映像に合わせて制御装置Ｃによりコントロールされる。
【００２２】
また前記換気装置ＶＥは、ハウジングＨの左右両側壁の上部に適宜間隔をおいてそれぞれ配設される複数の換気扇７より構成される。これら換気扇７の作動も、前記立体映像の進行に合わせて制御装置Ｃによりコントロールされる。
【００２３】
機械室Ｍには、制御装置Ｃとその操作盤Ｃａが設けられており、この操作盤Ｃａに設けた操作部材をマニュアル操作すれば、前記した各機器Ｖ，ＳＴ，ＢＳ，ＳＭ，ＶＥを個別に操作することも可能である。
【００２４】
次に前記実施例の作用を説明する。先ず、土石流簡易体験装置Ａを車両に搭載して所望の場所まで運搬し、その運搬先の地面等にハウジングＨをクレーン等で降ろす。
【００２５】
土石流簡易体験装置Ａの使用に当たっては先ず、開閉扉Ｔを開けて、体験希望者を体験室Ｒ内に入場させ、各椅子Ｓ１〜Ｓ３に座らせると共に、偏光メガネＧを付けさせる。
【００２６】
次に映像機器Ｖを作動させて、スクリーン１に、土石流の発生前後に亘る現場の状況を三次元的な立体映像で見せる。この場合、本実施例では、単に土石流の発生現場の様子だけでなく、近隣の或る親子４人の家族の様子も実写で映像化しており、その家族の土石流発生前の不安げな様子、近隣の異変（例えば大雨、停電、川の水が無くなる等）により避難所への避難に至るまでの様子、避難所で土石流の発生や家が押し潰されたことを知る様子、早めの避難や日頃の準備、危険箇所の認識等が重要であるかを痛感した様子等がストーリィ化された映像で示されており、そのストーリィの途中で土石流の発生状況等が三次元的（３Ｄ）なリアルな映像で体験者に示される。
【００２７】
しかも、上記立体映像における土石流発生直後の特定時期（例えば近くの川の上流で土石流が発生し体験者に迫って来たような場面から災害直後の場面にかけて）に臭気発生装置ＳＭから、土石流の匂いを模した所定の臭気を体験室Ｒ内に発生、拡散させるようになっているため、体験者に土石流の匂いをタイミングよく嗅がせ、強く印象づけ、記憶に残すことができる。更にその体験者に土石流の上記立体映像に合わせた立体音響を立体音響装置ＳＴの各スピーカ４よりタイミングよく聴かせると共に、土石流の立体映像に合わせた振動・衝撃をボディソニック装置ＢＳの椅子Ｓ１〜Ｓ３を通して直接、体感させることができる。
【００２８】
このように体験者の三次元的な視覚、聴覚、臭覚、振動等の体感を全て活用して、土石流について臨場感よくリアルに体験させることができるため、この貴重な体験は、体験者に日頃から豪雨下での土石流の警戒・避難に対する心づもりを持たせると共に、危険箇所の認識、避難ルート、避難手順等への意識を強く持たせることができ、実際の土石流発生の際に避難を早くしたり或いはその被害を少なくしたりする上で非常に有益となる。
【００２９】
また上記立体映像が、土石流の発生直後の現場から他の映像に切り替わるのに応じて、臭気発生装置ＳＭからは、前記所定の臭気の発生、拡散を停止させ、それに代えて消臭剤を体験室Ｒに噴出させるようにし、それと略同時に、換気装置Ｖの各換気扇７を一斉に作動開始させることができるから、この消臭剤が上記所定の臭気を迅速に消臭し得る効果と、換気装置ＶＥによる強制換気効果とが相俟って、体験室Ｒ内に残留する前記所定の臭気を迅速に除去することができ、これにより、次回の模擬体験の開始時期を早めて、一回当たりの体験所要時間の短縮を図ることができる。
【００３０】
また上記ハウジングＨ内に椅子Ｓ１〜Ｓ３、スクリーン１、映像機器Ｖ、立体音響装置ＳＴ、椅子駆動装置ＢＳ、臭気発生装置ＳＭおよび換気装置ＶＥをひとまとめにユニット化でき、その全体を車両で纏めて運搬できるため、取り扱いが簡便であるばかりか、体験装置Ａを各地に容易に移動できて、多くの人に土石流体験を簡易に行わせることができる。
【００３１】
以上、本発明の実施例について説明したが、本発明はその実施例に限定されることなく、本発明の範囲内で種々の実施例が可能である。例えば前記実施例では、映像機器Ｖとしてレーザーディスクプレーヤとその映像信号を、映像面としてのスクリーン１に映写する映写機（３Ｄプロジェクタ）２とで構成したものを示したが、本発明では、映像面１を大型の液晶モニター又はＣＲＴモニターとし、該モニターに映像を表示させる信号を出力可能なパソコン等を映像機器としてもよい。
【００３２】
また前記実施例では、土石流の発生現場の様子だけでなく、近隣の或る家族の、土石流発生の前後に亘る様子もストーリィ化して映像化したものを示したが、本発明では、単に土石流の発生現場の様子だけを三次元的に映像化してもよく、即ち上記家族の様子をストーリィ化した映像は省略可能である。
【００３３】
【発明の効果】
以上のように各請求項の発明によれば、体験室の椅子に座り偏光メガネを付けた体験者に対し、土石流の発生前後に亘る三次元的な立体映像を見せることができ、この立体映像における土石流発生後の所定時期に臭気発生装置から、土石流の匂いを模した所定の臭気を体験室内に発生、拡散させることができて、体験者に土石流の匂いをタイミングよく嗅がせることができ、更にその体験者に土石流の立体映像に合わせた立体音響をタイミングよく聴かせると共に、土石流の立体映像に合わせた振動・衝撃を椅子を通して直接、体感させることができるようにしたので、体験者の視覚、聴覚、臭覚、振動等の体感を全て活用して、土石流をリアルに体験させることができ、このリアルな体験は、実際の土石流発生の際に避難を早くしたり或いはその被害を少なくしたりする上で非常に有益となる。更に上記立体映像が、土石流の発生直後の現場から他の映像に切り替わるのに応じて、臭気発生装置からの前記所定の臭気の発生、拡散を停止させ且つ換気装置を作動開始させることにより、体験室内の残留臭気を速やかに除去することができて、次回の模擬体験に早めに備えることができる。また上記ハウジング内に椅子、映像面、映像機器、立体音響装置、椅子駆動装置、臭気発生装置及び換気装置を一纏めにユニット化でき、その全体を車両で運搬できるため、取り扱いが簡便であるばかりか、体験装置を各地に容易に移動し、多くの人に土石流体験を簡易に行わせることができる。
【００３４】
また特に請求項２の発明によれば、前記所定の臭気は、腐葉土の匂いをベースとし、これに煙の臭い又は燻した臭いと、腐敗臭又は発酵臭とを付加した匂いとしたので、実際の土石流の匂いに極力似せた臭気を体験者に嗅がせることができる。
【００３５】
また特に請求項３の発明によれば、上記映像が、土石流の発生直後の現場から他の映像に切り替わるのに応じて、臭気発生装置からは、前記所定の臭気の発生、拡散を停止させ、それに代えて消臭剤を体験室に噴霧することができるから、この消臭剤が上記所定の臭気を迅速に消臭し得る効果と、換気装置による強制換気効果とが相俟って、体験室内に残留する上記所定の臭気を一層速やかに除去することができ、次回の模擬体験の開始時期を一層早めることができる。
【図面の簡単な説明】
【図１】本発明の実施例に係る土石流簡易体験装置の全体縦断面図
【図２】前記土石流簡易体験装置の全体平面図（図１の２−２矢視断面図）
【図３】図１の３−３矢視断面図
【符号の説明】
Ａ・・・・土石流簡易体験装置
ＢＳ・・・ボディソニック装置（椅子駆動装置）
Ｇ・・・・偏光メガネ
Ｈ・・・・ハウジング
Ｒ・・・・体験室
Ｓ１〜Ｓ３・・第１〜第３椅子
ＳＭ・・・臭気発生装置
ＳＴ・・・立体音響装置
Ｖ・・・・映像機器
ＶＥ・・・換気装置
１・・・・映像面
【図１】
2004309982.tif 000003
【図２】
2004309982.tif 000004
【図３】
2004309982.tif 000005